(57)【要約】【課題】ロータリ耕耘装置１０４を用いた作業では、ロータリ耕耘装置１０４の耕耘爪に草等が巻付いたり、石が跳ねたりすることで、耕耘伝動ケース１０３ａの破損を招いていた。また、耕耘伝動ケース１０３ａの破損を防止するために鉄板カバーを用いると、部品点数が増加したり、コストが高くなる等の問題があった。【解決手段】センタードライブ式のロータリ耕耘装置１０４の耕耘伝動ケース１０３ａより左右両側に突出した爪駆動軸２０５上に耕耘爪軸１０７に設け、該耕耘爪軸１０７上の機体内側に偏心耕耘爪を設ける構成において、該偏心耕耘爪２０２の取付け基部近傍に詰まり防止部材２０６を配置し、前記詰まり防止部材２０６を棒状部材で構成し、偏心耕耘爪２０２の爪ホルダ２０３より機体内方向に突設した。【選択図】図２
2005034061.tif 000002
【特許請求の範囲】
【請求項１】
センタードライブ式のロータリ耕耘装置の耕耘伝動ケースより左右両側に突出した爪駆動軸上に耕耘爪軸に設け、該耕耘爪軸上の機体内側に偏心耕耘爪を設ける構成において、該偏心耕耘爪の取付け基部近傍に詰まり防止部材を配置したことを特徴とする管理機の耕耘装置。
【請求項２】
前記詰まり防止部材を棒状部材で構成し、偏心耕耘爪の爪ホルダより機体内方向に突設したことを特徴とする請求項１に記載の管理機の耕耘装置。
【発明の詳細な説明】
【技術分野】
【０００１】
本発明は、管理機の耕耘装置に関し、特に、センタードライブ式のロータリ耕耘装置における耕耘爪と耕耘伝動ケースの間の詰まりを防止する技術に関する。
【背景技術】
【０００２】
従来より管理機には作業機としてロータリ耕耘装置を装着することは行われており、該ロータリ耕耘装置の耕耘伝動ケースの左右側面からは、耕耘作業を行う耕耘爪を装着した耕耘爪軸が側方に突出され、該耕耘爪軸の回動によって耕耘爪による耕耘作業を行っていた。しかしながら、この場合、耕耘ケースの直下には耕耘爪を設けることができないために、耕耘されない部分、所謂残耕が発生していたので、耕耘駆動ケースに最も近い耕耘爪を偏心爪に構成して、できるだけ残耕が少なくなるように構成していた。例えば、特開平７−８００５号公報の技術である。
【０００３】
そして、耕耘伝動ケース側の耕耘爪を偏心爪とした場合には、耕耘爪の取付け基部側と耕耘伝動ケースの間に空間ができ、その空間に石等が挟まり易くなり、耕耘伝動ケースをアルミダイキャスト等で構成していると、前記空間に石が堆積して噛み込むことがあり、この噛み込みによって耕耘駆動ケースが割れる可能性があった。そのため、該耕耘伝動ケースのロータリ近傍部分は保護カバーにより覆われるようにしていた。即ち、耕耘伝動ケースの破損を防ぐために、ケースの外側を鉄板にてカバーし、保護をしていた。このような技術として例えば、特開平８−３２２３０３号公報の技術である。
【０００４】
【特許文献１】特開平７−８００５号公報
【特許文献２】特開平８−３２２３０３号公報
【発明の開示】
【発明が解決しようとする課題】
【０００５】
しかし、上述したように耕耘伝動ケースと耕耘爪軸の基部側を保護カバーで覆う構成とすると、保護カバーはプレス成形等の加工を施して耕耘伝動ケースの外形に合わせた形状とする必要があり、部品点数が多くなり、コストアップとなっていたのである。
【課題を解決するための手段】
【０００６】
本発明の解決しようとする課題は以上の如くであり、次にこの課題を解決するための手段を説明する。
【０００７】
即ち、請求項１においては、センタードライブ式のロータリ耕耘装置の耕耘伝動ケースより左右両側に突出した爪駆動軸上に耕耘爪軸に設け、該耕耘爪軸上の機体内側に偏心耕耘爪を設ける構成において、該偏心耕耘爪の取付け基部近傍に詰まり防止部材を配置したことを特徴とする管理機の耕耘装置として構成したものである。
【０００８】
請求項２においては、前記詰まり防止部材を棒状部材で構成し、偏心耕耘爪の爪ホルダより機体内方向に突設したことを特徴とする請求項１に記載の管理機の耕耘装置として構成したものである。
【０００９】
そこで、本発明は上記事情に鑑みてなされたものであり、その目的とするところは、作業を行う場合、動力を伝達する装置のケースに草等が巻付いたり、石等の跳ねによってケースが破損しないような保護機構を提供することである。
【発明の効果】
【００１０】
本発明の効果として、以下に示すような効果を奏する。
【００１１】
請求項１においては、センタードライブ式のロータリ耕耘装置の耕耘伝動ケースより左右両側に突出した爪駆動軸上に耕耘爪軸に設け、該耕耘爪軸上の機体内側に偏心耕耘爪を設ける構成において、該偏心耕耘爪の取付け基部近傍に詰まり防止部材を配置したことを特徴とする管理機の耕耘装置として構成した。このように構成したことで、従来、鉄板を利用した鉄板カバーによって前記該偏心耕耘爪の取付け基部近傍の詰まりを防止していたが、本発明を利用することによって鉄板カバーが不要となる。また、前記鉄板カバーが不要となることで、部品点数が削減でき、部品を作る手間が省けるため、コストの面でも削減することができる。そして、鉄板カバーを作る際には、鉄板カバーを作るための金型等が必要であったが、本発明品では、金型を利用する必要がなくなり、製造工程を短縮でき、金型を使用しないことからコスト削減にもつながる。
【００１２】
請求項２においては、前記詰まり防止部材を棒状部材で構成し、偏心耕耘爪の爪ホルダより機体内方向に突設したことを特徴とする請求項１に記載の管理機の耕耘装置として構成した。このように構成したことで、作業時に、草等の引っかかりが少なくなりスムーズな回転が実現できる。また、草等の巻付きや石等の跳ねによる伝動ケースの破損を防止することができる。
【発明を実施するための最良の形態】
【００１３】
以下、添付図面を参照しながら、本発明の実施の形態について説明する。尚、本発明はセンタードライブ式のロータリ耕耘装置に適用するものであり、本実施例では管理機に適用しているが、その他トラクタ等の作業車両に装着したロータリ耕耘装置に適用することも可能であり、以下の実施の形態は、本発明を具体化した一例であって、本発明の技術的範囲を限定するものではない。
【００１４】
図１は本発明のロータリ耕耘装置を具備した管理機全体の側面図、図２はロータリ耕耘装置の正面図一部断面図、図３は耕耘伝動ケース近傍の拡大図、図４は詰まり防止部材を具備した爪駆動軸の斜視図である。
【００１５】
まず、管理機の全体構成について、図１を用いて説明する。
管理機１０１は前方から、駆動源であるエンジン１０２、ミッションケース１０３、ロータリ耕耘装置１０４を配置している。前記ミッションケース１０３の前下部には左右一対の走行輪１０５を軸支して駆動する車軸１０６が、後下部にはロータリ耕耘装置１０４を駆動する耕耘爪軸１０７がそれぞれ軸支され、前記走行輪１０５およびロータリ耕耘装置１０４はエンジン１０２からの動力をミッションケース１０３内で変速して伝達可能としている。なお、本実施例のミッションケース１０３は走行用ミッションケースと耕耘伝動ケース１０３ａを一体型に構成している。また、本機のミッションケース１０３上より後上方にハンドル１０８を延設している。
【００１６】
エンジン１０２の動力は、出力軸上の出力プーリ１０９からミッションケース１０３より側方に突出した入力軸１１０上に設けた入力プーリ１１１にベルトを介して伝達され、この出力プーリ１０９と入力プーリ１１１との間にベルトテンション式主クラッチ１１２が配設され、伝動ケース１１３により覆われている。前記ベルトテンション式主クラッチ１１２は後述する把持部１１４に設けたクラッチレバー１１５で入切り操作できるようにしている。ミッションケース１０３上から主変速レバー１１６が後方に突出されて変速可能とし、管理機１０１後方から操作できるようにしている。また、エンジン１０２上方には、燃料タンク１１７が配設されている。
【００１７】
次に、このような全体構成からなる耕耘機において、ロータリ耕耘装置及び該ロータリ耕耘装置に設けた本発明の詰まり防止機構について、図１、図２、図３、図４を用いて発明の実施の形態を説明する。
【００１８】
前記耕耘伝動ケース１０３ａの下部から左右両側方に爪駆動軸２０５・２０５が突設され、該爪駆動軸２０５上に耕耘爪軸１０７が固設されて、エンジン１０２からの動力を耕耘爪軸１０７へと伝える構成としている。なお、本実施例では、耕耘爪軸１０７をパイプ状に構成して、内側を爪駆動軸２０５に外嵌して、該耕耘爪軸１０７と爪駆動軸２０５にそれぞれ直径方向にピン孔を穿設して、両者の位置を合わせてピン２０７により固定する構成としている。
【００１９】
前記耕耘爪軸１０７上には、爪ホルダ２０３・２０３・・・を介して偏心耕耘爪２０２・２０４・２０４・・・が植設されている。つまり、爪ホルダ２０３・２０３・・・が耕耘爪軸１０７上に放射状に適宜間隔をあけて突設され、該爪ホルダ２０３は、角パイプ状またはコ字状に構成されて、偏心耕耘爪２０２または２０４の基部側を挿入してボルト等で固定できるようにしている。また、耕耘伝動ケース１０３ａに最も近い内側の耕耘爪は偏心耕耘爪に構成され、できるだけ機体左右中心を耕耘できるように略杓状に構成されている。その他の耕耘爪２０４は、略「し」字状のナタ爪で構成している。
このようにして、エンジン１０２からの動力が、ミッションケース１０３、耕耘伝動ケース１０３ａを介して耕耘爪軸１０７に伝達され、該耕耘爪軸１０７を駆動し、偏心耕耘爪２０２・２０４・２０４・・・が回動されて、耕耘作業が行われる構成となっている。
【００２０】
そして、前記偏心耕耘爪２０２は偏心させているために、偏心耕耘爪２０２の基部側と耕耘伝動ケース１０３ａの間がデッドスペースができてしまうので、その空間に土や石や草等が詰まり易かったのである。また、詰まった石に耕耘作業時に耕耘爪が当たり、耕耘伝動ケースに損傷を与えることがあった。そこで、本発明は、偏心耕耘爪の基部近傍に詰まり防止部材２０６を設けているのである。即ち、機体左右中心側の耕耘伝動ケース１０３ａに最も近い爪ホルダ２０３、つまり、偏心耕耘爪２０２を取り付けた爪ホルダ２０３の外周面から機体中心側に向かって詰まり防止部材２０６を突設している。該詰まり防止部材２０６は、本実施例ではピンまたは丸棒を爪ホルダ２０３に溶接等により固設して、水平方向機体内側に向かって突出している。該詰まり防止部材２０６の形状は特に限定されるものではなく、プレート状や角パイプ状等の構成であってもよく、爪ホルダと一体的に形成してもよい。
【００２１】
図３は、さきほど図２で示したロータリ耕耘装置の正面図一部断面図の耕耘伝動ケース１０３ａ近傍の拡大図である。図において、偏心耕耘爪２０２の基部側と耕耘伝動ケース１０３ａの間の空間に示す黒点は、作業時に付着する土や泥等を示している。本発明である、詰まり防止部材２０６を設けることにより、作業を行う際の回転を利用して耕耘伝動ケース１０３ａや爪ホルダ２０３等に付着した土や泥等（図に示す黒点）を落とすことが可能となる。また、土や泥等を落とすだけではなく、付着を防止することも可能となる。従って、土や泥等が付着しにくくなるために耕耘装置のスムーズな運転が可能となるのである。
【００２２】
図４は、すでに上述した詰まり防止部材２０６を具備した爪駆動軸１０７の斜視図である。図に示すように、パイプ状の耕耘爪軸１０７上には、爪ホルダ２０３が設けられ、偏心耕耘爪２０２または耕耘爪２０４が植設できるようになっている。前記耕耘爪軸１０７上には円筒形の穴があけられており、図２、図３を用いてすでに上述したが、耕耘爪軸１０７と爪駆動軸２０５とを固定するためのピン孔である。詰まり防止部材２０６は、耕耘伝動ケース１０３ａに最も近い内側の爪ホルダ２０３の外周面から機体中心側に向かって突設されている。図では、Ａ方向である。詰まり防止部材２０６は爪ホルダ１０３ａと溶接やはんだ付け等で溶着し固設されている。この詰まり防止部材２０６が、作業を行う際の回転を利用して耕耘伝動ケース１０３ａや爪ホルダ２０３等に付着した土や泥等を落とすことが可能となるのである。
【００２３】
このように、詰まり防止部材２０６を爪ホルダ２０３に設けることにより、偏心耕耘爪２０２の基部側と耕耘伝動ケース１０３ａの間の空間を詰まり防止部材２０６が回転しながら通過するようになり、その空間に土が詰まることがなく、また、草等が絡みつくことも防止でき、耕耘効率の悪化も防止できる。そして、耕耘伝動ケースと耕耘爪との間に石等が詰まって噛み込むことによるケースが破損する等のトラブルを防ぐことができるのである。また、従来の鉄板を使用してカバーをする方法では、鉄板カバーを作る際に金型やプレス型が必要であったが、上述したような詰まり防止部材２０６を使用することにより、金型が不要となりコスト低減化が図れる。
【図面の簡単な説明】
【００２４】
【図１】本発明の一実施例に係るロータリ耕耘装置を具備した管理機の全体的な構成を示した側面図。
【図２】ロータリ耕耘装置の正面図一部断面図。
【図３】耕耘伝動ケース近傍の拡大図。
【図４】詰まり防止部材を具備した爪駆動軸の斜視図。
【符号の説明】
【００２５】
１０１    管理機
１０２    エンジン
１０４    ロータリ耕耘装置
１０７    耕耘爪軸
１０３ａ    耕耘伝動ケース
２０２    偏心耕耘爪
２０３    爪ホルダ
２０４    耕耘爪
２０５    爪駆動軸
２０６    詰まり防止部材
【図１】
2005034061.tif 000003
【図２】
2005034061.tif 000004
【図３】
2005034061.tif 000005
【図４】
2005034061.tif 000006